(57)【要約】      （修正有）【課題】簡易に装着できるとともに、自由な装飾を施すことができる髪止め具を提供する。【解決手段】ゴム紐３０で予め束ねた頭髪２０に装着する髪止め具１であって、頭髪２０を束ねたゴム紐３０の外周を覆う環状形状を有し、ゴム紐３０で束ねた頭髪２０を環状形状の内側に挿入するための切れ目１１を有する環状部を備え、環状部の内側には、環状部がゴム紐３０の外周位置からずれることを規制するための突起部１２〜１３が、頭髪２０の長さ方向の両側からゴム紐３０を挟む位置にそれぞれ形成されている。【選択図】図２
2015167778.tif 000002
【特許請求の範囲】
【請求項１】
ゴム紐で予め束ねた頭髪に装着する髪止め具であって、
前記頭髪を束ねた前記ゴム紐の外周を覆う環状形状を有し、前記ゴム紐で束ねた前記頭髪を前記環状形状の内側に挿入するための切れ目を有する環状部を備え、
前記環状部の内側には、前記環状部が前記ゴム紐の外周位置からずれることを規制するための突起部が、前記頭髪の長さ方向の両側から前記ゴム紐を挟む位置にそれぞれ形成されている、
ことを特徴とする髪止め具。
【請求項２】
前記突起部は、前記頭髪の長さ方向の両側から前記ゴム紐を挟む位置にそれぞれ形成される櫛状部によって構成されることを特徴とする請求項１に記載の髪止め具。
【請求項３】
前記突起部は、前記頭髪の長さ方向の両側から前記ゴム紐を挟む位置にそれぞれ形成される凸条部によって構成されることを特徴とする請求項１に記載の髪止め具。
【請求項４】
前記環状部は、少なくとも１つのヒンジを有し、前記ヒンジを中心にして前記環状部を開閉することで、装着の際には前記切れ目を広げて前記頭髪の挿入を容易にするとともに、装着後は前記環状部の径を狭めて前記突起部による規制を確実にすることを特徴とする請求項１乃至３のいずれか１項に記載の髪止め具。
【請求項５】
前記環状部は、台座部と、前記台座部の両端に設けられた２つのヒンジと、前記ヒンジによって前記台座部の両端のそれぞれに開閉自在に取り付けられた２つのアーム部とを有し、
前記台座部の内側には、前記頭髪の長さ方向の両側から前記ゴム紐を挟む位置に前記突起部がそれぞれ形成されている、
ことを特徴とする請求項１乃至４のいずれか１項に記載の髪止め具。
【請求項６】
前記環状部の前記切れ目の部分には、前記環状部の径を調整可能に係止する係止部が設けられていることを特徴とする請求項１乃至５のいずれか１項に記載の髪止め具。
【発明の詳細な説明】
【技術分野】
【０００１】
本発明は、髪止め具に関するものである。
【背景技術】
【０００２】
頭髪を束ねて保持する髪止め具としては、例えば、特許文献１に開示されたものがある。この髪止め具は、スパイラル形状を有する本体部を有し、このスパイラル形状を有する本体部の開口部から頭髪を挿入し、幅が狭いスパイラルの中心方向に頭髪を移動することで保持力が増加し、頭髪を確実に固定する。
【先行技術文献】
【特許文献】
【０００３】
【特許文献１】特表平０９−５０４７２１号公報
【発明の概要】
【発明が解決しようとする課題】
【０００４】
ところで、特許文献１に開示された髪止め具は、スパイラル形状を有する本体部を回転させながら頭髪をその中心に向けて移動させる必要があることから、着脱に手間を要するという問題点がある。また、スパイラル形状を有する本体部は、開口部を有することから、この部分には装飾を施すことができない。また、開口部において本体部が不連続となることから、本体部に対して一貫した装飾を施すことができないという問題点もある。
【０００５】
本発明は、以上の点に鑑みてなされたものであり、簡易に装着できるとともに、自由な装飾を施すことができる髪止め具を提供することを目的としている。
【課題を解決するための手段】
【０００６】
上記課題を解決するために、本発明は、ゴム紐で予め束ねた頭髪に装着する髪止め具であって、前記頭髪を束ねた前記ゴム紐の外周を覆う環状形状を有し、前記ゴム紐で束ねた前記頭髪を前記環状形状の内側に挿入するための切れ目を有する環状部を備え、前記環状部の内側には、前記環状部が前記ゴム紐の外周位置からずれることを規制するための突起部が、前記頭髪の長さ方向の両側から前記ゴム紐を挟む位置にそれぞれ形成されている、ことを特徴とする。
このような構成によれば、簡易に装着できるとともに、自由な装飾を施すことが可能となる。
【０００７】
また、本発明は、前記突起部は、前記頭髪の長さ方向の両側から前記ゴム紐を挟む位置にそれぞれ形成される櫛状部によって構成されることを特徴とする。
このような構成によれば、櫛状部がゴム紐を確実に挟持することから、ゴム紐が移動した場合でも環状部が追従して移動するため、ゴム紐が視認可能となることを防ぐことができる。
【０００８】
また、本発明は、前記突起部は、前記頭髪の長さ方向の両側から前記ゴム紐を挟む位置にそれぞれ形成される凸条部によって構成されることを特徴とする。
このような構成によれば、凸条部がゴム紐を確実に挟持することから、ゴム紐が移動した場合でも環状部が追従して移動するため、ゴム紐が視認可能となることを防ぐことができる。
【０００９】
また、本発明は、前記環状部は、少なくとも１つのヒンジを有し、前記ヒンジを中心にして前記環状部を開閉することで、装着の際には前記切れ目を広げて前記頭髪の挿入を容易にするとともに、装着後は前記環状部の径を狭めて前記突起部による規制を確実にすることを特徴とする。
このような構成によれば、髪止め具の着脱を簡易に行うことができる。また、弾性を有しない材料によって環状部を構成することができる。
【００１０】
また、本発明は、前記環状部は、台座部と、前記台座部の両端に設けられた２つのヒンジと、前記ヒンジによって前記台座部の両端のそれぞれに開閉自在に取り付けられた２つのアーム部とを有し、前記台座部の内側には、前記頭髪の長さ方向の両側から前記ゴム紐を挟む位置に前記突起部がそれぞれ形成されている、ことを特徴とする。
このような構成によれば、アーム部に挟まれて固定された状態の台座部に突起部が設けられているので、この部分を把持することで頭髪への装着を一層簡易に行うことができる。
【００１１】
また、本発明は、前記環状部の前記切れ目の部分には、前記環状部の径を調整可能に係止する係止部が設けられていることを特徴とする。
このような構成によれば、束ねた頭髪の太さに応じて環状部の径を調整可能になるので、束ねる頭髪の多寡によらず頭髪を確実に保持することができる。
【発明の効果】
【００１２】
本発明によれば、簡易に装着できるとともに、自由な装飾を施すことができる髪止め具を提供することができる。
【図面の簡単な説明】
【００１３】
【図１】本発明の第１実施形態に係る髪止め具の構成例を示す図である。
【図２】図１に示す第１実施形態の装着方法を説明する図である。
【図３】本発明の第２実施形態の構成例を示す図である。
【図４】本発明の第３実施形態の構成例を示す図である。
【図５】本発明の第４実施形態の構成例を示す図である。
【図６】本発明の第５実施形態の構成例を示す図である。
【図７】本発明の第６実施形態の構成例を示す図である。
【発明を実施するための形態】
【００１４】
次に、本発明の実施形態について説明する。
【００１５】
（Ａ）本発明の第１実施形態の説明
図１は、本発明の第１実施形態に係る髪止め具の構成例を示す斜視図である。この図１に示すように、第１実施形態の髪止め具１は、頭髪をその内側に挿入するための切れ目１１を有する環状形状の環状部１０と、環状部１０の内側面１０ｂに設けられた櫛状突起１２〜１５を有している。
【００１６】
ここで、環状部１０は、例えば、金属、樹脂、木材、セラミックス、ベッコウ等によって構成される。例えば、金属をベース材とし、その表面を別の部材（例えば、樹脂、皮革、布等）によって被覆するようにしてもよい。なお、環状部１０は、頭髪に装着する際に、切れ目１１を押し広げることから、手で操作可能な程度の弾性を有する部材によって構成することが望ましい。環状部１０の環状形状としては、図１に示す円形状の他に、楕円形状であったり、あるいは、三角形状、四角形状、五角形状以上の多角形状であったりしてもよい。
【００１７】
環状部１０の端部１０ｃ，１０ｄは、頭髪に装着する際に、頭髪の挿入をスムーズにするために円形形状に加工されている。環状部１０の外側面１０ａには、図１では図示していないが、色彩や図柄や文字等による装飾が施されている。なお、これら以外にも、別の部材（例えば、ラインストーン、宝石、ビーズ等）を配置するようにしてもよい。
【００１８】
環状部１０の内側面１０ｂの切れ目１１と対向する位置には、櫛状突起１２〜１５が配置されている。なお、この櫛状突起１２〜１５は、環状部１０と一体的に構成するようにしてもよいし、あるいは、櫛状突起１２〜１５を別体として構成し、接着剤等によって環状部１０に接着したり、溶接によって環状部１０に溶着したりするようにしてもよい。
【００１９】
図２は、図１に示す髪止め具を装着する方法を示す斜視図である。この図２に示すように、髪止め具１を装着する際には、ゴム紐３０を巻回することによって、予め頭髪２０をまとめて束ねた状態とする。そして、髪止め具１の端部１０ｃ，１０ｄを左右に引いて、切れ目１１を広げた状態とし、櫛状突起１２，１３および櫛状突起１４，１５がゴム紐３０の端部３０ａ，３０ｂを頭髪２０の長さ方向の両端から挟むように装着する。この結果、髪止め具１がゴム紐３０を覆うように装着されることから、ゴム紐３０が外部から見えることを防止できる。また、髪止め具１には、装飾が施されていることから、観者に華美な印象を与えることができる。
【００２０】
また、ゴム紐３０の端部３０ａの外側（頭側）には、例えば、櫛状突起１２，１３が位置し、これらの櫛状突起１２，１３の間に束ねた頭髪２０が挟まれるように配置されるか、または、頭髪２０の束の中に櫛状突起１２，１３が挿入される。ゴム紐３０の端部３０ｂの外側（頭から離間する側）には、例えば、櫛状突起１４，１５が位置し、これらの櫛状突起１４，１５の間に束ねた頭髪２０が挟まれるように配置されるか、または、頭髪２０の束の中に櫛状突起１４，１５が挿入される。これにより、ゴム紐３０は、櫛状突起１２〜１５によって、頭髪２０の長さ方向の両側から挟まれた状態となることから、櫛状突起１２〜１５と頭髪２０との間の摩擦によって、ゴム紐３０および髪止め具１が頭髪２０の長さ方向に移動することを規制できる。また、仮にゴム紐３０が頭髪の長さ方向に移動した場合であっても、ゴム紐３０は櫛状突起１２〜１５によって、頭髪２０の長さ方向の両側から挟まれた状態であるため、ゴム紐３０の移動に応じて髪止め具１も移動するので、ゴム紐３０が外部から視認されることを防止できる。なお、櫛状突起１２と櫛状突起１３の間隔は、これらの間に束ねた頭髪２０を挿通することができる間隔か、または、櫛状突起１２と櫛状突起１３を頭髪２０の束の中に挿入する場合には、挿入をスムーズに行うことができる間隔に設定することができる。櫛状突起１４，１５も同様である。
【００２１】
なお、図１では、櫛状突起１２〜１５は、環状部１０の幅方向（Ｘ方向）の両端部に設けるようにしたが、図２に示すように、櫛状突起１２〜１５は、ゴム紐３０を頭髪の長さ方向の両端から挟むことが可能な位置であれば、両端部には限定されず、両端部よりも内側の位置に取り付けるようにしてもよい。
【００２２】
以上に説明したように、本発明の第１実施形態では、切れ目１１を有する環状部１０の内側であって、頭髪２０の長さ方向の両端からゴム紐３０を挟む位置に櫛状突起１２〜１５を設けるようにしたので、櫛状突起１２〜１５と頭髪２０との摩擦力によって、ゴム紐３０および髪止め具１が頭髪２０の長さ方向に移動することを規制できる。また、櫛状突起１２〜１５によって、ゴム紐３０を挟み込むようにすることで、仮にゴム紐３０が頭髪２０の長さ方向に移動した場合であっても、ゴム紐３０に追従して髪止め具１が移動することで、ゴム紐３０が外部から視認されることを防止できる。また、第１実施形態では、外側面１０ａは、切れ目１１以外は連続した面となっているので、この面に対して、色彩や文字や図柄等の装飾を自由に施すことができる。
【００２３】
（Ｂ）本発明の第２実施形態の説明
つぎに、本発明の第２実施形態について説明する。図３は、本発明の第２実施形態の構成例を示す斜視図である。図３に示すように、第２実施形態に係る髪止め具１Ａは、台座部４０、アーム部４３，４４、および、櫛状突起４６〜４９を有している。
【００２４】
ここで、台座部４０は、例えば、金属、樹脂、木材、セラミックス、ベッコウ等によって構成される。なお、前述したように、金属をベース材とし、その表面を別の部材（例えば、樹脂、皮革、布等）によって被覆するようにしてもよい。台座部４０の両端には、アーム部４３，４４がヒンジ４１，４２によって開閉自在に取り付けられている。ヒンジ４１，４２は、図示しない弾性部材を有し、この弾性部材によって、アーム部４３，４４が閉じる方向に付勢する。なお、図３では、アーム部４３，４４の端部４３ｃ，４３ａが離間した状態となっているが、端部４３ｃ，４３ａが当接した状態で保持されるように設定してもよい。
【００２５】
台座部４０の外側面４０ａには、例えば、色彩や文字や図柄やラインストーン等による装飾が施されている。台座部４０の内側面４０ｂには、櫛状突起４６〜４９が切れ目４５に向かって伸出するように取り付けられている。また、櫛状突起４６と櫛状突起４７および櫛状突起４８と櫛状突起４９は、頭髪２０への着脱を容易にするために、略平行となるように取り付けられることが望ましい。なお、櫛状突起４６〜４９は、図２と同様に、頭髪２０を束ねたゴム紐３０を頭髪２０の長さ方向の両側から挟む位置に取り付けられている。
【００２６】
アーム部４３，４４の端部４３ｃ，４４ｃは、頭髪２０に装着する際に、頭髪２０の挿入をスムーズにするために、円形形状に加工されている。アーム部４３，４４の外側面４３ａ，４４ａには、色彩や文字や図柄やラインストーン等による装飾が施されている。アーム部４３，４４の内側面４３ｂ，４４ｂは、例えば、頭髪２０の摩擦を少なくして着脱をスムーズにするために鏡面加工が施されている。
【００２７】
以上のような構成を有する髪止め具１Ａを頭髪２０に装着する場合、図２に示すように、ゴム紐３０を頭髪２０に巻回することで予め束ねておく。そして、ヒンジ４１，４２の弾性力に抗って切れ目４５を広げる方向の力をアーム部４３，４４に対して印加し、広がった切れ目４５から頭髪２０をアーム部４３，４４の内側に挿入する。その際、台座部４０を把持して下向きの力を印加することで、頭髪２０への装着を容易に行うことができる。
【００２８】
このとき、ゴム紐３０の端部３０ａの外側（頭側）には、例えば、櫛状突起４６，４７が位置し、これらの櫛状突起４６，４７の間に束ねた頭髪２０が挟まれるように配置されるか、または、頭髪２０の束の中に櫛状突起４６，４７が挿入される。ゴム紐３０の端部３０ｂの外側（頭から離間する側）には、例えば、櫛状突起４８，４９が位置し、これらの櫛状突起４８，４９の間に束ねた頭髪２０が挟まれるように配置されるか、または、頭髪２０の束の中に櫛状突起４８，４９が挿入される。これにより、ゴム紐３０は、櫛状突起４６〜４９によって、頭髪２０の長さ方向の両側から挟まれた状態となることから、櫛状突起４６〜４９と頭髪２０との間の摩擦によって、ゴム紐３０および髪止め具１Ａが頭髪２０の長さ方向に移動することを規制できる。また、仮にゴム紐３０が頭髪の長さ方向に移動した場合であっても、ゴム紐３０は櫛状突起４６〜４９によって、頭髪２０の長さ方向の両側から挟まれた状態であるため、ゴム紐３０の移動に追従して髪止め具１Ａも移動するので、ゴム紐３０が外部から視認されることを防止できる。なお、櫛状突起４６と櫛状突起４７の間隔は、これらの間に束ねた頭髪２０を挿通することができる間隔か、または、櫛状突起４６と櫛状突起４７を頭髪２０の束の中に挿入する場合には、挿入をスムーズに行うことができる間隔に設定することができる。櫛状突起４８，４９も同様である。
【００２９】
以上に説明したように、本発明の第２実施形態では、内側に櫛状突起４６〜４９が設けられた台座部４０の両端に、ヒンジ４１，４２によってアーム部４３，４４を開閉自在に取り付け、このアーム部４３，４４を弾性力に抗って押し広げ、頭髪２０の長さ方向の両端からゴム紐３０を挟む位置に櫛状突起４６〜４９が来るように装着するようにしたので、櫛状突起４６〜４９と頭髪２０との摩擦によって、ゴム紐３０が頭髪２０の長さ方向に移動することを規制できる。また、櫛状突起４６〜４９によって、ゴム紐３０を挟み込むようにすることで、仮にゴム紐３０が頭髪２０の長さ方向に移動した場合であっても、ゴム紐３０に追従して髪止め具１Ａが移動することで、ゴム紐３０が外部から視認されることを防止できる。また、可動部分であるアーム部４３，４４の間に固定部である台座部４０を設け、この台座部４０に櫛状突起４６〜４９を設けることで、頭髪２０への着脱を容易に行うことができる。また、ヒンジ４１，４２を設けるようにしたので、アーム部４３，４４として、弾性を有しない材料を用いることができるため、材料選択の範囲を広げることができる。
【００３０】
（Ｃ）本発明の第３実施形態の説明
つぎに、本発明の第３実施形態について説明する。図４は、本発明の第３実施形態の構成例を示す斜視図である。図４に示すように、第３実施形態に係る髪止め具１Ｂは、台座部５０およびアーム部５３，５４を有している。
【００３１】
ここで、台座部５０は、例えば、金属、樹脂、木材、セラミックス、ベッコウ等によって構成される。なお、前述したように、金属をベース材とし、その表面を別の部材（例えば、樹脂、皮革、布等）によって被覆するようにしてもよい。台座部５０の両端には、アーム部５３，５４がヒンジ５１，５２によって開閉自在に取り付けられている。ヒンジ５１，５２は、図示しない弾性部材を有し、この弾性部材によって、アーム部５３，５４が閉じる方向に付勢する。なお、図４では、アーム部５３，５４の端部５３ｅ，５４ｅが離間した状態となっているが、端部５３ｅ，５４ｅが当接した状態で保持されるようにしてもよい。
【００３２】
台座部５０の外側面５０ａには、例えば、色彩や文字や図柄やラインストーン等による装飾が施されている。台座部５０の内側面５０ｂには、凸条部５０ｃ，５０ｄが設けられている。凸条部５０ｃ，５０ｄは、頭髪２０を束ねたゴム紐３０を頭髪２０の長さ方向の両側から挟む位置に取り付けられている。なお、凸条部５０ｃ，５０ｄは、台座部５０と一体的に形成されるようにしてもよいし、あるいは、別体として構成し、接着剤または溶接によって台座部５０に接着（または溶着）するようにしてもよい。
【００３３】
アーム部５３，５４の端部５３ｅ，５４ｅは、頭髪に装着する際に、頭髪の挿入をスムーズにするために、円形形状に加工されている。アーム部５３，５４の外側面５３ａ，５４ａには、色彩や文字や図柄やラインストーン等による装飾が施されている。アーム部５３の内側面５３ｂには、台座部５０と同様の形状を有する、凸条部５３ｃ，５３ｄが設けられ、アーム部５４の内側面５４ｂにも、台座部５０と同様の形状を有する、凸条部５４ｃ，５４ｄが設けられている。凸条部５３ｃ，５３ｄおよび凸条部５４ｃ，５４ｄは、頭髪２０を束ねたゴム紐３０を頭髪２０の長さ方向の両側から挟む位置に形成されている。なお、凸条部５３ｃ，５３ｄおよび凸条部５４ｃ，５４ｄは、アーム部５３，５４と一体的に形成されるようにしてもよいし、あるいは、別体として構成し、接着剤または溶接によってアーム部５３，５４に接着（または溶着）するようにしてもよい。
【００３４】
以上のような構成を有する髪止め具１Ｂを頭髪２０に装着する場合、図２に示すように、ゴム紐３０を頭髪２０に巻回することで予め束ねておく。そして、ヒンジ５１，５２の弾性力に抗って切れ目５５を広げる方向の力をアーム部５３，５４に対して印加し、広がった切れ目５５から頭髪２０をアーム部５３，５４の内側に挿入する。装着する際には、台座部５０を把持して下向きの力を印加することで、頭髪２０への装着を容易に行うことができる。
【００３５】
このとき、ゴム紐３０の端部３０ａの外側（頭側）には、例えば、凸条部５３ｄ，５０ｄ，５４ｄが位置し、また、ゴム紐３０の端部３０ｂの外側（頭から離間する側）には、例えば、凸条部５３ｃ，５０ｃ，５４ｃが位置する。これにより、ゴム紐３０は、凸条部５３ｃ，５０ｃ，５４ｃおよび凸条部５３ｄ，５０ｄ，５４ｄによって、頭髪２０の長さ方向の両側から挟まれた状態となることから、凸条部５３ｃ，５０ｃ，５４ｃおよび凸条部５３ｄ，５０ｄ，５４ｄと頭髪２０との間の摩擦によって、ゴム紐３０および髪止め具１Ｂが頭髪２０の長さ方向に移動することを規制できる。また、仮にゴム紐３０が移動した場合であっても、ゴム紐３０は凸条部５３ｃ，５０ｃ，５４ｃおよび凸条部５３ｄ，５０ｄ，５４ｄによって、頭髪２０の長さ方向の両側から挟まれた状態である。このため、ゴム紐３０の移動に追従して髪止め具１Ｂも移動するので、ゴム紐３０が外部から視認されることを防止できる。
【００３６】
以上に説明したように、本発明の第３実施形態では、内側に凸条部５０ｃ，５０ｄが設けられた台座部５０の両端に、ヒンジ５１，５２によって、凸条部５３ｃ，５３ｄおよび凸条部５４ｃ，５４ｄを有するアーム部５３，５４を開閉自在に取り付け、このアーム部５３，５４を弾性力に抗って押し広げ、頭髪２０の長さ方向の両端からゴム紐３０を挟む位置に凸条部５３ｃ，５０ｃ，５４ｃおよび凸条部５３ｄ，５０ｄ，５４ｄが来るように装着するようにしたので、凸条部５３ｃ，５０ｃ，５４ｃおよび凸条部５３ｄ，５０ｄ，５４ｄと頭髪２０との摩擦によって、ゴム紐３０が頭髪２０の長さ方向に移動することを規制できる。また、凸条部５３ｃ，５０ｃ，５４ｃおよび凸条部５３ｄ，５０ｄ，５４ｄによって、ゴム紐３０を挟み込むようにすることで、仮にゴム紐３０が頭髪２０の長さ方向に移動した場合であっても、ゴム紐３０に追従して髪止め具１Ｂが移動することで、ゴム紐３０が外部から視認されることを防止できる。また、凸条部５３ｃ，５０ｃ，５４ｃおよび凸条部５３ｄ，５０ｄ，５４ｄを用いるようにしたので、頭髪２０への着脱を容易に行うことができる。また、ヒンジ５１，５２を設けるようにしたので、アーム部５３，５４として、弾性を有しない材料を用いることができるため、材料選択の範囲を広げることができる。
【００３７】
（Ｄ）本発明の第４実施形態の説明
つぎに、本発明の第４実施形態について説明する。図５は、本発明の第４実施形態の構成例を示す斜視図である。図５に示すように、第４実施形態に係る髪止め具１Ｃは、環状部６１，６２、ヒンジ６２、および、櫛状突起６４〜６７を有している。
【００３８】
ここで、環状部６０，６１は、例えば、金属、樹脂、木材、セラミックス、ベッコウ等によって構成される。なお、前述したように、金属をベース材とし、その表面を別の部材（例えば、樹脂、皮革、布等）によって被覆するようにしてもよい。環状部６０，６１は、ヒンジ６２によって開閉自在に接合されている。環状部６０の中央付近の内側面６０ｂには、櫛状突起６４〜６７が取り付けられている。なお、櫛状突起６４〜６７は、図２と同様に、頭髪２０を束ねたゴム紐３０を頭髪２０の長さ方向の両側から挟む位置に取り付けられている。また、頭髪２０への着脱を容易にするために、櫛状突起６４と櫛状突起６５および櫛状突起６６と櫛状突起６７は略平行になるように配置することが望ましい。
【００３９】
環状部６０，６１の端部６０ｃ，６１ｃには、係止部６０ｄ，６１ｄが設けられており、これら係止部６０ｄ，６１ｄを相互に嵌め合わせることで、環状部６０，６１の端部６０ｃ，６１ｃを相互に係止することができる。環状部６０，６１の外側面６０ａ，６１ａには、例えば、色彩や文字や図柄やラインストーン等による装飾が施されている。環状部６０，６１の内側面６０ｂ，６１ｂは、例えば、頭髪２０の摩擦を少なくして着脱をスムーズにするために鏡面加工が施されている。
【００４０】
以上のような構成を有する髪止め具１Ｃを頭髪２０に装着する場合、図２に示すように、ゴム紐３０を頭髪２０に巻回することで予め束ねておく。そして、環状部６０が上側に位置するように把持するとともに、環状部６１を開いた状態にする。環状部６１は、ヒンジ６２を中心として、例えば、９０度以上開いた状態にすることができるので、そのような状態で、櫛状突起６４〜６７が、ゴム紐３０の端部３０ａ，３０ｂを挟むように、頭髪２０に装着する。装着が完了すると、係止部６０ｄ，６１ｄを嵌め合わせることで、端部６０ｃ，６１ｃを係止し、切れ目のない環状形状とすることができる。
【００４１】
このとき、ゴム紐３０の端部３０ａの外側（頭側）には、例えば、櫛状突起６４，６５が位置し、これらの櫛状突起６４，６５の間に束ねた頭髪２０が挟まれるように配置されるか、または、頭髪２０の束の中に櫛状突起６４，６５が挿入される。ゴム紐３０の端部３０ｂの外側（頭から離間する側）には、例えば、櫛状突起６６，６７が位置し、これらの櫛状突起６６，６７の間に束ねた頭髪２０が挟まれるように配置されるか、または、頭髪２０の束の中に櫛状突起６６，６７が挿入される。これにより、ゴム紐３０は、櫛状突起６４〜６７によって、頭髪２０の長さ方向の両側から挟まれた状態となることから、櫛状突起６４〜６７と頭髪２０との間の摩擦によって、ゴム紐３０および髪止め具１Ｃが頭髪２０の長さ方向に移動することを規制できる。また、仮にゴム紐３０が頭髪の長さ方向に移動した場合であっても、ゴム紐３０は櫛状突起６４〜６７によって、頭髪２０の長さ方向の両側から挟まれた状態であるため、ゴム紐３０の移動に追従して髪止め具１Ｃも移動するので、ゴム紐３０が外部から視認されることを防止できる。なお、櫛状突起６４と櫛状突起６５の間隔は、これらの間に束ねた頭髪２０を挿通することができる間隔か、または、櫛状突起６４と櫛状突起６５を頭髪２０の束の中に挿入する場合には、挿入をスムーズに行うことができる間隔に設定することができる。櫛状突起６６，６７も同様である。
【００４２】
以上に説明したように、本発明の第４実施形態では、内側に櫛状突起６４〜６７が設けられた環状部６０と、ヒンジ６２によって環状部６０に開閉自在に取り付けられた環状部６１を設け、環状部６１を開いて頭髪２０の長さ方向の両端からゴム紐３０を挟む位置に櫛状突起６４〜６７が来るように装着するようにしたので、櫛状突起６４〜６７と頭髪２０との摩擦によって、ゴム紐３０が頭髪２０の長さ方向に移動することを防止できる。また、櫛状突起６４〜６７によって、ゴム紐３０を挟み込むようにすることで、仮にゴム紐３０が頭髪２０の長さ方向に移動した場合であっても、ゴム紐３０に追従して髪止め具１Ｃが移動することで、ゴム紐３０が外部から視認されることを防止できる。また、係止部６０ｄ，６１ｄを設けるようにしたので、ヒンジ６２に対して弾性部材を設ける必要がなくなる。
【００４３】
（Ｅ）本発明の第５実施形態の説明
つぎに、本発明の第５実施形態について説明する。図６は、本発明の第５実施形態の構成例を示す斜視図である。なお、図６において、図５と対応する部分には同一の符号を付して、その説明を省略する。図６では、図５と比較すると、櫛状突起６４〜６７の設けられている位置が変更されている。また、ヒンジ６２は、櫛状突起６４と櫛状突起６５および櫛状突起６６と櫛状突起６７が平行になる角度でそれ以上開かなくなるように規制される。それ以外の構成は、図５の場合と同様である。
【００４４】
ここで、櫛状突起６４，６６は、環状部６０の内側面６０ｂにヒンジ６２の回転軸と略平行に配列されている。また、櫛状突起６５，６７は、環状部６１の内側面６１ｂにヒンジ６２の回転軸と略平行に配列されている。また、ヒンジ６２は、環状部６０，６１が閉じた状態から、略９０度開いた状態で、それ以上開かなくなるように規制される構成とされる。ヒンジ６２が規制された状態（略９０度開いた状態）において、櫛状突起６４と櫛状突起６５は、略平行になるように構成されている。櫛状突起６６と櫛状突起６７も同様に、ヒンジ６２が規制された状態（略９０度開いた状態）において、略平行になるように構成されている。また、環状部６０，６１が閉じた状態で、櫛状突起６４と櫛状突起６５は、相互に干渉しない長さおよび方向で取り付けられている。櫛状突起６６と櫛状突起６７も同様に、環状部６０，６１が閉じた状態で、相互に干渉しない長さおよび方向で取り付けられている。櫛状突起６４と櫛状突起６５の間隔は、これらの間に束ねた頭髪２０を挿通することができる間隔か、または、櫛状突起６４と櫛状突起６５を頭髪２０の束の中に挿入する場合には、挿入をスムーズに行うことができる間隔に設定することができる。櫛状突起６６，６７も同様である。
【００４５】
以上のような構成を有する髪止め具１Ｄを頭髪２０に装着する場合、図２に示すように、ゴム紐３０を頭髪２０に巻回することで予め束ねておく。そして、環状部６０，６１を最大限に開いた状態とするとともに、ヒンジ６２が上側に位置するように把持する。このとき、櫛状突起６４と櫛状突起６５は略平行の状態になり、また、櫛状突起６６と櫛状突起６７も略平行の状態となるので、そのような状態で、櫛状突起６４〜６７が、ゴム紐３０の端部３０ａ，３０ｂを挟むように、頭髪２０に装着する。装着が完了すると、係止部６０ｄ，６１ｄを嵌め合わせることで、端部６０ｃ，６１ｃを係止することができる。
【００４６】
このとき、ゴム紐３０の端部３０ａの外側（頭側）には、例えば、櫛状突起６４，６５が位置し、これらの櫛状突起６４，６５は、束ねた頭髪２０の中に斜めに挿入される。ゴム紐３０の端部３０ｂの外側（頭から離間する側）には櫛状突起６６，６７が位置し、これらの櫛状突起６６，６７は、束ねた頭髪２０の中に斜めに挿入される。これにより、ゴム紐３０は、櫛状突起６４〜６７によって、頭髪２０の長さ方向の両側から挟まれた状態となることから、櫛状突起６４〜６７と頭髪２０との間の摩擦によって、ゴム紐３０および髪止め具１Ｄが頭髪２０の長さ方向に移動することを規制できる。また、仮にゴム紐３０が移動した場合であっても、ゴム紐３０は櫛状突起６４〜６７によって、頭髪２０の長さ方向の両側から挟まれた状態であるため、ゴム紐３０の移動に追従して髪止め具１Ｄも移動するので、ゴム紐３０が外部から視認されることを防止できる。
【００４７】
以上に説明したように、本発明の第５実施形態では、内側に櫛状突起６４，６６が設けられた環状部６０と、内側に櫛状突起６５，６７が設けられた環状部６１とをヒンジ６２によって開閉自在に接合し、環状部６０，６１を開いて頭髪２０の長さ方向の両端からゴム紐３０を挟む位置に櫛状突起６４〜６７が来るように装着するようにしたので、櫛状突起６４〜６７と頭髪２０との摩擦によって、ゴム紐３０が頭髪２０の長さ方向に移動することを規制できる。また、櫛状突起６４〜６７によって、ゴム紐３０を挟み込むようにすることで、仮にゴム紐３０が頭髪２０の長さ方向に移動した場合であっても、ゴム紐３０に追従して髪止め具１Ｄが移動することで、ゴム紐３０が外部から視認されることを防止できる。また、係止部６０ｄ，６１ｄを設けるようにしたので、ヒンジ６２に対して弾性部材を設ける必要がなくなる。また、櫛状突起６４と櫛状突起６５および櫛状突起６６と櫛状突起６７が略平行になる角度でヒンジ６２が規制される構成としたので、頭髪２０への着脱を容易に行うことができる。
【００４８】
（Ｆ）本発明の第６実施形態の説明
つぎに、本発明の第６実施形態について説明する。図７は、本発明の第６実施形態の構成例を示す斜視図である。なお、図７において、図５と対応する部分には同一の符号を付して、その説明を省略する。図７では、図５と比較すると、櫛状突起６４〜６７の設けられている位置が変更されている。それ以外の構成は、図５の場合と同様である。
【００４９】
ここで、櫛状突起６４，６６は、環状部６０の中央付近の内側面６０ｂにヒンジ６２の回転軸と略平行に配列されている。また、櫛状突起６５，６７は、環状部６１の中央付近の内側面６１ｂにヒンジ６２の回転軸と略平行に配列されている。また、ヒンジ６２は、環状部６０，６１が開いた状態で、櫛状突起６４〜６７が頭髪２０に接触しない角度までは少なくとも開くように構成されている。また、環状部６０，６１が閉じた状態で、櫛状突起６４と櫛状突起６５は、相互に干渉しない長さおよび方向で取り付けられている。櫛状突起６６と櫛状突起６７も同様に、環状部６０，６１が閉じた状態で、相互に干渉しない長さおよび方向で取り付けられている。
【００５０】
以上のような構成を有する髪止め具１Ｅを頭髪２０に装着する場合、図２に示すように、ゴム紐３０を頭髪２０に巻回することで予め束ねておく。そして、環状部６０，６１を開いた状態とするとともに、ヒンジ６２が上側に位置するように保持する。このとき、櫛状突起６４〜６７は頭髪２０に接触しない状態になるので、そのような状態で、櫛状突起６４〜６７が、ゴム紐３０の端部３０ａ，３０ｂを挟むように、頭髪２０に装着する。装着が完了すると、係止部６０ｄ，６１ｄを嵌め合わせることで、端部６０ｃ，６１ｃを係止することができる。
【００５１】
このとき、ゴム紐３０の端部３０ａの外側（頭側）には、例えば、櫛状突起６４，６５が位置し、これらの櫛状突起６４，６５は、頭髪２０の束の中に対向するように挿入される。ゴム紐３０の端部３０ｂの外側（頭から離間する側）には櫛状突起６６，６７が位置し、これらの櫛状突起６６，６７は、頭髪２０の束の中に対向するように挿入される。これにより、ゴム紐３０は、櫛状突起６４〜６７によって、頭髪２０の長さ方向の両側から挟まれた状態となることから、櫛状突起６４〜６７と頭髪２０との間の摩擦によって、ゴム紐３０および髪止め具１Ｅが頭髪２０の長さ方向に移動することを規制できる。また、仮にゴム紐３０が移動した場合であっても、ゴム紐３０は櫛状突起６４〜６７によって、頭髪２０の長さ方向の両側から挟まれた状態である。このため、ゴム紐３０の移動に追従して髪止め具１Ｅも移動するので、ゴム紐３０が外部から視認されることを防止できる。
【００５２】
以上に説明したように、本発明の第６実施形態では、内側に櫛状突起６４，６６が設けられた環状部６０と、内側に櫛状突起６５，６７が設けられた環状部６１とをヒンジ６２によって開閉自在に接合し、環状部６０，６１を開いて頭髪２０の長さ方向の両端からゴム紐３０を挟む位置に櫛状突起６４〜６７が来るように装着するようにしたので、櫛状突起６４〜６７と頭髪２０との摩擦によって、ゴム紐３０が頭髪２０の長さ方向に移動することを規制できる。また、櫛状突起６４〜６７によって、ゴム紐３０を挟み込むようにすることで、仮にゴム紐３０が頭髪２０の長さ方向に移動した場合であっても、ゴム紐３０に追従して髪止め具１Ｅが移動することで、ゴム紐３０が外部から視認されることを防止できる。また、係止部６０ｄ，６１ｄを設けるようにしたので、ヒンジ６２に対して弾性部材を設ける必要がなくなる。さらに、環状部６１，６２を閉じることによって、櫛状突起６４〜６７が頭髪２０の束の中に挿入されるので、装着時に必要な力を軽減することができる。
【００５３】
（Ｇ）変形実施形態の説明
以上の各実施形態は一例であって、本発明が上述したような場合のみに限定されるものでないことはいうまでもない。例えば、以上の各実施形態では、環状部は、円形形状としたが、例えば、楕円形状、三角形状、四角形状、または、五角形以上の多角形状としてもよい。
【００５４】
また、第３実施形態では、環状部としての台座部およびアーム部の断面形状は凹状形状とし、それ以外の実施形態では環状部の断面形状は矩形形状としたが、本発明はこれらの断面形状のみに限定されるものではない。例えば、外側面側が円形形状を有する断面形状としたり、同じく外側面が凹状形状を有する断面形状としたり、三角形、四角形、それ以上の多角形の断面形状としたり、あるいは、それ以外の断面形状とすることも可能である。なお、台座部およびアーム部も同様である。
【００５５】
また、以上の各実施形態では、ゴム紐３０をその前後から２本ずつの櫛状突起によって挟む構造としたが、例えば、前後の少なくとも一方を１本だけとし頭髪２０の中に挿入される構成としてもよい。また、２本ではなく、３本以上の櫛状突起によってゴム紐３０を挟むようにしてもよい。
【００５６】
また、本明細書中において、「ゴム紐」とは、文字通り「ゴム」を内部に有する紐状部材としてのゴム紐の他に、例えば、ゴム以外の弾性材（例えば、伸縮性を有する繊維）を有する紐状部材も「ゴム紐」に含まれるものとする。すなわち、頭髪２０を束ねて弾性力によって保持することができる長尺部材はゴム紐であるとする。
【００５７】
また、以上の各実施形態に示す櫛状突起の長さおよび構造は一例であって、図に示す以外の長さおよび構造を有するようにしてもよい。例えば、図１，３，５〜７に示す櫛状突起の長さは一例であって、用途等に応じて長さを調整するようにしてもよい。また、櫛状突起の取り付け角度についても、図１，３，５〜７は一例であり、用途等に応じて角度を調整するようにしてもよい。例えば、櫛状突起の間に頭髪を挟む構成の場合、櫛状突起が略平行になるのではなく、先端がより開いた構成とすることで、装着を容易にすることができる。より詳細には、例えば、図１の例では、櫛状突起１２，１３の先端がＹ方向に対してより開いた構成とすることができる。櫛状突起１４，１５も同様である。また、櫛状突起１２，１４の先端がＸ方向に対してより開いた構成とすることができる。櫛状突起１３，１５も同様である。同様のことは、図３，５〜７に対しても適用することができる。
【００５８】
また、以上の各実施形態では、環状部の端部が相互に当接した状態を環状部の径が最小の状態としたが、環状部の径を任意に調整できるように構成してもよい。例えば、環状部の一方に複数の穴を設け、環状部の他方にこれら複数の穴のいずれかに挿通される突起を設け、突起が挿通される穴の位置によって、環状部の径を調整可能としてもよい。あるいは、環状部の一方に鋸歯形状を設け、環状部の他方に鋸歯形状に係止するための爪を設け、爪が鋸歯形状に当接する位置を調整することで、環状部の径を調整可能としてもよい。
【００５９】
また、以上の各実施形態では、環状部は単一の材料によって構成される場合を例に挙げて説明したが、複合材によって形成するようにしたり、単一材の表面を他の材料によって覆うようにしたりしてもよい。また、環状部の材料として機能性材料を用いることで、頭髪２０をまとめたり、審美性を高めたりする以外の機能を発揮するようにしてよい。例えば、環状部として、調湿機能を有する部材（例えば、セラミックス等）を全部またはその一部に用いることで、頭髪２０が乾燥している場合には放湿し、湿潤している場合には吸湿することで、頭髪２０の健康状態を維持するようにしてもよい。また、静電気をコロナ放電によって大気中に逃がすことができる繊維等によって環状部の表面を覆うことで、頭髪３０に蓄えられた静電気を除去し、頭髪２０のまとまりをよくすることができる。
【００６０】
また、図４では、台座部５０とアーム部５３，５４の双方に凸条部５０ｃ，５０ｄ，５３ｃ，５３ｄ，５４ｃ，５４ｄを設けるようにしたが、例えば、台座部５０だけに設けたり、アーム部５３，５４の少なくとも一方だけに設けたりしてもよい。また、図１，３，５〜７に対して、櫛状突起の代わりに凸条部を設けるようにしてもよい。
【００６１】
また、図５〜図７に示す係止部６０ｄ，６１ｄを、図３および図４に示すアーム部４３，４４，５３，５４に設けるようにしてもよい。
【符号の説明】
【００６２】
１，１Ａ，１Ｂ，１Ｃ，１Ｄ，１Ｅ  髪止め具
１０，６０，６１  環状部
１２〜１５，４６〜４９，６４〜６７  櫛状突起
２０  頭髪
３０  ゴム紐
４０，５０  台座部
４３，４４，５３，５４  アーム部
４１，４２，５１，５２，６２  ヒンジ
５０ｃ，５０ｄ，５３ｃ，５３ｄ，５４ｃ，５４ｄ  凸条部
６０ｄ，６１ｄ  係止部
【図１】
2015167778.tif 000003
【図２】
2015167778.tif 000004
【図３】
2015167778.tif 000005
【図４】
2015167778.tif 000006
【図５】
2015167778.tif 000007
【図６】
2015167778.tif 000008
【図７】
2015167778.tif 000009